(57)【要約】【課題】  特性のバラツキを低減したコイル部品の提供。【解決手段】  略中空円筒状に形成されるトロイダルコア１１と、トロイダルコア１１の円周方向に巻き進められてバイファイラ巻きされている二本の巻線１２，１２と、二本の巻線１２、１２のトロイダルコア１１への巻始め位置１２Ａと巻終り位置１２Ｂとにおいて、二本の巻線１２、１２のうち少なくとも一本の巻線１２に当接可能な巻始め側位置規制部１１Ｃと巻終り側位置規制部１１Ｄとを備えた位置規制部とを有するコイル部品を提供する。【選択図】図２
2008153254.tif 000002
【特許請求の範囲】
【請求項１】
略中空円筒状に形成されるトロイダルコアと、
該トロイダルコアの円周方向に巻き進められてバイファイラ巻きされている二本の巻線と、
該二本の巻線の該トロイダルコアへの巻始め位置と巻終り位置とにおいて、該二本の巻線のうち少なくとも一本の巻線に当接可能な巻始め側位置規制部と巻終り側位置規制部とを備えた位置規制部と、を有することを特徴とするコイル部品。
【請求項２】
該位置規制部は、トロイダルコアに設けられていることを特徴とする請求項１に記載のコイル部品。
【請求項３】
該トロイダルコアは内周面を有し、
該位置規制部は、該内周面から突出する単一の凸部により構成され、該凸部の頂部に関して周方向の一方の該凸部の基部が該巻始め側位置規制部を構成し、他方の基部が該巻終り側位置規制部を構成することを特徴とする請求項２に記載のコイル部品。
【請求項４】
該トロイダルコアは内周面を有し、
該位置規制部は、該内周面から突出する二個の凸部により構成され、一方の凸部が該巻始め側位置規制部を構成し、他方の凸部が該巻終り側位置規制部を構成することを特徴とする請求項２に記載のコイル部品。
【請求項５】
該トロイダルコアは軸方向と直交する端面を有し、
該位置規制部は、該端面から突出する単一の突起部により構成され、該突起部の頂部に関して周方向の一方の該突起部の基部が該巻始め側位置規制部を構成し、他方の基部が該巻終り側位置規制部を構成することを特徴とする請求項２に記載のコイル部品。
【請求項６】
該トロイダルコアは軸方向と直交する端面を有し、
該位置規制部は、該端面から突出する二個の突起部により構成され、一方の突起部が該巻始め側位置規制部を構成し、他方の突起部が該巻終り側位置規制部を構成することを特徴とする請求項２に記載のコイル部品。
【請求項７】
該トロイダルコアは、内周面と、外周面と、軸方向と直交すると共に該内周面と該外周面とに交差する端面を有し、
該位置規制部は、該端面に穿設されて該内周面または該外周面の少なくとも一方に開口する単一の規制溝により構成され、該規制溝の底面と一方の壁面とが交差する部分が該巻始め側位置規制部を構成し、該規制溝の該底面と他方の壁面とが交差する部分が該巻終り側位置規制部を構成することを特徴とする請求項２に記載のコイル部品。
【請求項８】
該トロイダルコアは、内周面と、外周面と、軸方向と直交すると共に該内周面と該外周面とに交差する端面を有し、
該位置規制部は、該端面に穿設されて該内周面または該外周面の少なくとも一方に開口する二本の規制溝により構成され、一方の規制溝が該巻始め側位置規制部を構成し、他方の規制溝が該巻終り側位置規制部を構成することを特徴とする請求項２に記載のコイル部品。
【請求項９】
該トロイダルコアと該トロイダルコアに巻回された二本の巻線とを内蔵するケースを更に有し、
該位置規制部は該ケースに設けられていることを特徴とする請求項１に記載のコイル部品。
【請求項１０】
略中空円筒状に形成されるトロイダルコアと、
該トロイダルコアの円周方向に巻き進められてバイファイラ巻きされている二本の巻線と、有するコイル部品において、
該二本の巻線の巻始め位置と巻終り位置とを規制することにより、入力される周波数に応じたインピーダンスを変化させることを特徴とするコイル部品。
【発明の詳細な説明】
【技術分野】
【０００１】
本発明はコイル部品に関し、特にバイファイラ巻きされたトロイダルコアから構成されるコイル部品に関する。
【背景技術】
【０００２】
従来から、トロイダルコアに巻線をバイファイラ巻きしたコイル部品を用いたコモンモードノイズフィルタが公知になっている。このコイル部品では、例えば共振周波数特性を均一にするために、トロイダルコアの形状や、使用される巻線の巻回数、経路長及び、引き出された巻線の位置等が同等になるように製造されている（例えば、特許文献１参照）。
【特許文献１】特開平５−２７５２５３号公報
【発明の開示】
【発明が解決しようとする課題】
【０００３】
技術の進歩に伴い、電子機器において流れる信号の制御もより高精度が要求され、これに応じて、ノイズ除去も高精度に行う必要が生じる。しかし、従来のコイル部品では、精度が良くはなっているものの、未だその特性にバラツキがあり、高精度なノイズ除去を行うには、個々のコイル部品の性能を調べ、機器に応じたコイル部品を使用する必要があった。そこで、本発明は、特性のバラツキを低減したコイル部品を提供することを目的とする。
【課題を解決するための手段】
【０００４】
上記課題を解決するために本発明は、略中空円筒状に形成されるトロイダルコアと、トロイダルコアの円周方向に巻き進められてバイファイラ巻きされている二本の巻線と、二本の巻線のトロイダルコアへの巻始め位置と巻終り位置とにおいて、二本の巻線のうち少なくとも一本の巻線に当接可能な巻始め側位置規制部と巻終り側位置規制部とを備えた位置規制部とを有するコイル部品を提供する。
【０００５】
このような構成によると、トロイダルコアにおいて巻線の巻始め位置と巻終り位置とを正確に規定することができる。これにより、特性のバラツキを押さえたコイル部品を提供することができる。
【０００６】
上記構成のコイル部品において、位置規制部は、トロイダルコアに設けられていることが好ましい。このような構成によると、位置規制部をトロイダルコアと一体に構成することができ、製造を簡略化することができる。
【０００７】
またトロイダルコアは内周面を有し、位置規制部は、内周面から突出する単一の凸部により構成され、凸部の頂部に関して周方向の一方の凸部の基部が巻始め側位置規制部を構成し、他方の基部が巻終り側位置規制部を構成してもよい。
【０００８】
またトロイダルコアは軸方向と直交する端面を有し、位置規制部は、端面から突出する単一の突起部により構成され、突起部の頂部に関して周方向の一方の突起部の基部が巻始め側位置規制部を構成し、他方の基部が巻終り側位置規制部を構成していてもよい。
【０００９】
またトロイダルコアは、内周面と、外周面と、軸方向と直交すると共に内周面と外周面とに交差する端面を有し、位置規制部は、端面に穿設されて内周面または外周面の少なくとも一方に開口する二本の規制溝により構成され、一方の規制溝が巻始め側位置規制部を構成し、他方の規制溝が巻終り側位置規制部を構成してもよい。
【００１０】
これらのような構成によると、巻線の巻初め位置と巻終り位置とを正確に規定することができる。また巻線の巻初め位置と巻終り位置とが必ず離間した状態にすることができる。
【００１１】
またトロイダルコアは内周面を有し、位置規制部は、内周面から突出する二個の凸部により構成され、一方の凸部が巻始め側位置規制部を構成し、他方の凸部が巻終り側位置規制部を構成していてもよい。
【００１２】
またトロイダルコアは軸方向と直交する端面を有し、位置規制部は、端面から突出する二個の突起部により構成され、一方の突起部が巻始め側位置規制部を構成し、他方の突起部が巻終り側位置規制部を構成していてもよい。
【００１３】
またトロイダルコアは、内周面と、外周面と、軸方向と直交すると共に内周面と外周面とに交差する端面を有し、位置規制部は、端面に穿設されて内周面または外周面の少なくとも一方に開口する単一の規制溝により構成され、規制溝の底面と一方の壁面とが交差する部分が巻始め側位置規制部を構成し、規制溝の底面と他方の壁面とが交差する部分が巻終り側位置規制部を構成してもよい。
【００１４】
これらのような構成によると、巻始め側位置規制部と巻終り側位置規制部との位置に応じて、巻線の巻初め位置と巻終り位置との間の距離を設定することができる。よって巻始め側位置規制部と巻終り側位置規制部を近接させた場合には、巻線の巻初め位置と巻終り位置とが接触した状態を保持することができる。
【００１５】
またトロイダルコアとトロイダルコアに巻回された二本の巻線とを内蔵するケースを更に有し、位置規制部はケースに設けられていてもよい。
【００１６】
このような構成によると、既存のトロイダルコアと巻線との構成を備えたコイル部品においても、巻線の巻初め位置と巻終り位置とを正確に規定することができる。
【００１７】
また上記課題を解決するために、略中空円筒状に形成されるトロイダルコアと、トロイダルコアの円周方向に巻き進められてバイファイラ巻きされている二本の巻線と、有するコイル部品において、二本の巻線の巻始め位置と巻終り位置とを規制することにより、入力される周波数に応じたインピーダンスを変化させたコイル部品を提供する。
【００１８】
このような構成によると、インピーダンスの値をより正確に設定することができるため、コイル部品が装着される電子機器において最適なインピーダンスを備えたコイル部品を容易に使用することができる。
【発明の効果】
【００１９】
本発明のコイル部品によれば、その特性のバラツキを低減することができる。
【発明を実施するための最良の形態】
【００２０】
本発明の第一の実施の形態によるコイル部品について図１から図４に基づき説明する。図１に示されるコイル部品１はコモンモードチョークコイルであり、コイル部１０と樹脂製のケース２とを主に備えている。
【００２１】
図２に示されるように、コイル部１０は、環状のトロイダルコア１１と、周囲が絶縁被覆された２本の巻線１２、１２とから構成されている。トロイダルコア１１は、フェライト等を基材として、図３に示されるように略中空円筒状に成型されている。トロイダルコア１１の内周面１１Ａには、中心に向かって突出する単一の凸部１１Ｂが設けられている。凸部１１Ｂはトロイダルコア１１と一体に設けられているため、トロイダルコア１１の成型時に同時に成型される。故に凸部１１Ｂの製造を簡略化することができる。
【００２２】
凸部１１Ｂの頂部に関して、トロイダルコア１１周方向の一方の基部１１Ｃには巻始め側位置規制部１１Ｃが構成されており、他方の基部１１Ｄには、巻終り側位置規制部１１Ｄが規定されている。
【００２３】
巻線１２は、ポリアミドイミドワイヤー（ＡＩＷ）等の絶縁被覆によりコーティングされた導線である。図２に示されるように、巻線１２をトロイダルコア１１に巻回する場合には、巻線１２の巻き開始部１２Ａが図２紙面においてトロイダルコア１１上方から巻始め側位置規制部１１Ｃに掛けられて、トロイダルコア１１に対する巻き開始部１２Ａの位置が正確に規制される。巻き開始部１２Ａの位置が正確に規定された後に、トロイダルコア１１の円周方向に巻き進められてバイファイラ巻きされている。
【００２４】
巻線１２が円周方向に巻き進められて、巻線１２の巻き終了部１２Ｂが巻終り側位置規制部１１Ｄに掛けられる。これによりトロイダルコア１１に対する巻き終了部１２Ｂの位置が正確に規制される。そして巻終り側位置規制部１１Ｄであって図２紙面においてトロイダルコア１１下方から引き出されて巻線１２の巻回が終了する。
【００２５】
上記構成のコイル部１０においては、巻始め側位置規制部１１Ｃと巻終り側位置規制部１１Ｄとが凸部１１Ｂの周方向両側の基部１１Ｃ、１１Ｄに設けられている。よって巻始め側位置規制部１１Ｃと巻終り側位置規制部１１Ｄとによって位置が規定される巻き開始部１２Ａと巻き終了部１２Ｂとは、凸部１１Ｂを挟んで離間した状態に保持され、巻き開始部１２Ａと巻き終了部１２Ｂとが接触することが抑制される。
【００２６】
ケース２は、樹脂を基材としており、図１に示されるように、略直方体形状をなしている。ケース２上面の略中央位置には、コイル部１０を収容するための略円柱形状の凹部２ａが形成されており、凹部２ａ内にはコイル部１０が、凹部２ａと略同軸的な位置関係で収容されている。
【００２７】
ケース２には、巻線１２、１２の両端部をそれぞれ継線する金属端子３が設けられている。金属端子３は、図１に示されるように、巻線１２、１２のそれぞれの一端部及び他端部の数に対応した個数である四個設けられており、ケース２に支持されている。より具体的には、樹脂製のケース２を成形する際に、金属端子３の一部がケース２となる溶融した樹脂内に配置される。即ち、ケース２と金属端子３とが一体成形されることにより金属端子３はケース２に固定されて支持されている。金属端子３においては、凹部２ａが形成されているケース２の上面に露出している部分で巻線１２の端部が継線されている。またケース２には、その凹部２ａを塞ぐと共に、金属端子３の継線箇所を保護する保護カバー２Ａが設けられている。
【００２８】
第一の実施の形態に係るコイル部品１において、コイル部１０の共振周波数とインピーダンスとの関係を測定すると、図４に示されるグラフになる。
【００２９】
次に第一の実施の形態に係る変形例について図４及び図５に基づいて説明する。図５に示されるコイル部２０は、後述の第一凸部２１Ｂ及び第二凸部２１Ｃに係る形状以外の形状がコイル部１０と同じである。よってコイル部２０が挿入されるケースについては、第一の実施の形態と同様であり、その説明を省略する。
【００３０】
コイル部２０は、トロイダルコア２１と巻線２２とから構成されている。トロイダルコア２１は、フェライト等を基材として、略中空円筒状に成型されている。トロイダルコア１１の内周面２１Ａには、中心に向かって突出する第一凸部２１Ｂと第二凸部２１Ｃとが設けられている。
【００３１】
第一凸部２１Ｂの頂部に関し、トロイダルコア２１周方向において第二凸部２１Ｃに近接する基部２１Ｄには巻始め側位置規制部２１Ｄが構成されている。また第二凸部２１Ｃの頂部に関し、トロイダルコア２１周方向において第一凸部２１Ｂに近接する基部２１Ｅには巻終り側位置規制部２１Ｅが規定されている。またトロイダルコア２１周方向において巻始め側位置規制部２１Ｄから巻終り側位置規制部２１Ｅまでの最短距離は、巻線２２の直径の四倍より小さくなるように構成されている。
【００３２】
巻線２２は、第一の実施の形態の巻線１２と同様の巻線であるので詳しい説明は省略する。巻線２２をトロイダルコア２１に巻回する場合には、巻線２２の巻き開始部２２Ａが図５紙面においてトロイダルコア２１上方から巻始め側位置規制部２１Ｄに掛けられて、トロイダルコア２１に対する巻き開始部２２Ａの位置が正確に規制される。巻き開始部２２Ａの位置が正確に規定された後に、トロイダルコア２１の円周方向に巻き進められてバイファイラ巻きされている。この場合に巻線２２の巻回数は、第一の実施の形態のコイル部１０に係る巻回数と同じ回数巻回されている。
【００３３】
巻線２２が円周方向に巻き進められて、巻線２２の巻き終了部２２Ｂが巻終り側位置規制部２１Ｅに掛けられる。これによりトロイダルコア２１に対する巻き終了部２２Ｂの位置が正確に規制される。そして巻終り側位置規制部２１Ｅであって図５紙面においてトロイダルコア２１下方から引き出されて巻線２２の巻回が終了する。
【００３４】
上記構成のコイル部２０においては、巻始め側位置規制部２１Ｄと巻終り側位置規制部２１Ｅとが、近接して隣り合う基部２１Ｄと基部２１Ｅとに設けられており、その間の距離が巻線２２の直径の四倍より小さく構成されている。巻始め側位置規制部２１Ｄと巻終り側位置規制部２１Ｅとの間には巻き開始部２２Ａと巻き終了部２２Ｂとが配置されるが、巻き開始部２２Ａと巻き終了部２２Ｂとは、それぞれ二本の巻線２２から構成されているため、計四本配置されることになる。よって幅が巻線２２の直径の四倍未満の所に、四本の巻線２２が配置されることになり、巻き開始部２２Ａと巻き終了部２２Ｂにおいて少なくとも一本以上の巻線２２が重なった状態で接触した状態に保持される。故に巻き開始部２２Ａと巻き終了部２２Ｂとが離間することが抑制される。
【００３５】
第一の実施の形態の変形例に係るコイル部品において、コイル部２０の共振周波数とインピーダンスとの関係を測定すると、図４に示されるグラフになる。ここで第一の実施の形態に係るコイル部１０と比較してみると、低周波側においては、巻き開始部と巻き終了部とを分離したコイル部１０と巻き開始部と巻き終了部とを付着させたコイル部２０とにおいてインピーダンスに有意な差は見受けられない。しかし高周波側においては、コイル部１０がコイル部２０に対してインピーダンスが高い結果となっている。よって特に高周波のノイズが発生する回路上においては、巻き開始部と巻き終了部とを分離したコイル部１０と、巻き開始部と巻き終了部とを付着させたコイル部２０とを適宜使い分けることにより、コイル部品が使用される機器の要求する仕様をより正確に満たすことが可能となる。
【００３６】
次に本発明の第二の実施の形態によるコイル部品について図６及び図７に基づき説明する。図６に示されるコイル部３０は、その外形が第一の実施の形態に係るコイル部１０と同径である。よってコイル部３０が挿入されるケースについては、その説明を省略する。
【００３７】
コイル部３０は、トロイダルコア３１と巻線３２とから構成されている。トロイダルコア３１は、フェライト等を基材として、略中空円筒状に成型されている。図６及び図７に示されるように、トロイダルコア３１は軸方向と直交する端面３１Ａを有し、端面３１Ａには、軸方向と平行に突出する単一の突起部３１Ｂが設けられている突起部３１Ｂはトロイダルコア３１と一体に設けられているため、トロイダルコア３１の成型時に同時に成型される。故に突起部３１Ｂの製造を簡略化することができる。
【００３８】
突起部３１Ｂの頂部に関して、トロイダルコア３１周方向の一方の基部３１Ｃには巻始め側位置規制部３１Ｃが構成されており、他方の基部３１Ｄには、巻終り側位置規制部３１Ｄが規定されている。
【００３９】
巻線３２は、第一の実施の形態の巻線１２と同様の巻線であるので詳しい説明は省略する。図２に示されるように、巻線３２をトロイダルコア３１に巻回する場合には、巻線３２の巻き開始部３２Ａが端面３１Ａ上において、トロイダルコア３１の外周から内周に向かうように巻始め側位置規制部３１Ｃに掛けられて、トロイダルコア３１に対する巻き開始部３２Ａの位置が正確に規制される。巻き開始部３２Ａの位置が正確に規定された後に、トロイダルコア３１の円周方向に巻き進められてバイファイラ巻きされている。
【００４０】
巻線３２が円周方向に巻き進められて、巻線３２の巻き終了部３２Ｂが巻終り側位置規制部３１Ｄに掛けられる。これによりトロイダルコア３１に対する巻き終了部３２Ｂの位置が正確に規制される。そして巻線３２は、巻終り側位置規制部３１Ｄから端面３１Ａの反対面に引き回されて端面３１Ａの反対面位置から引き出され、巻線３２の巻回が終了する。
【００４１】
上記構成のコイル部３０においては、巻始め側位置規制部３１Ｃと巻終り側位置規制部３１Ｄとが突起部３１Ｂの周方向両側の基部３１Ｃ、３１Ｄに設けられている。よって巻始め側位置規制部３１Ｃと巻終り側位置規制部３１Ｄとによって位置が規定される巻き開始部３２Ａと巻き終了部３２Ｂとは、突起部３１Ｂを挟んで離間した状態に保持され、巻き開始部３２Ａと巻き終了部３２Ｂとが接触することが抑制される。
【００４２】
次に第二の実施の形態に係る変形例について図８及び図９に基づいて説明する。図８に示されるコイル部４０は、その外形が第一の実施の形態に係るコイル部１０と同径である。よってコイル部４０が挿入されるケースについては、第一の実施の形態と同様であり、その説明を省略する。
【００４３】
コイル部４０は、トロイダルコア４１と巻線４２とから構成されている。トロイダルコア４１は、フェライト等を基材として、略中空円筒状に成型されている。トロイダルコア４１は軸方向と直交する端面４１Ａを有し、端面４１Ａには、軸方向と平行に突出する第一突起部４１Ｂと第二突起部４１Ｃとが設けられている。
【００４４】
第一突起部４１Ｂの頂部に関し、トロイダルコア４１周方向において第二突起部４１Ｃに近接する基部４１Ｄには巻始め側位置規制部４１Ｄが構成されている。また第二突起部４１Ｃの頂部に関し、トロイダルコア４１周方向において第一突起部４１Ｂに近接する基部４１Ｅには巻終り側位置規制部４１Ｅが規定されている。またトロイダルコア４１周方向において巻始め側位置規制部４１Ｄから巻終り側位置規制部４１Ｅまでの最短距離は、巻線４２の直径の四倍より小さくなるように構成されている。
【００４５】
巻線４２は、第一の実施の形態の巻線１２と同様の巻線であるので詳しい説明は省略する。巻線４２をトロイダルコア４１に巻回する場合には、巻線４２の巻き開始部４２Ａが端面４１Ａ上において、トロイダルコア４１の外周から内周に向かうように巻始め側位置規制部４１Ｃに掛けられて、トロイダルコア４１に対する巻き開始部４２Ａの位置が正確に規制される。巻き開始部４２Ａの位置が正確に規定された後に、トロイダルコア４１の円周方向に巻き進められてバイファイラ巻きされている。
【００４６】
巻線４２が円周方向に巻き進められて、巻線４２の巻き終了部４２Ｂが巻終り側位置規制部４１Ｄに掛けられる。これによりトロイダルコア４１に対する巻き終了部４２Ｂの位置が正確に規制される。そして巻線４２は、巻終り側位置規制部４１Ｄから端面４１Ａの反対面に引き回されて端面４１Ａの反対面位置から引き出され、巻線４２の巻回が終了する。
【００４７】
上記構成のコイル部４０においても、第一の実施の形態に係る変形例のコイル部２０と同様に、幅が巻線４２の直径の四倍未満の所に、四本の巻線４２が配置されることになり、巻き開始部４２Ａと巻き終了部４２Ｂにおいて少なくとも一本以上の巻線４２が重なった状態で接触した状態に保持される。故に巻き開始部４２Ａと巻き終了部４２Ｂとが離間することが抑制される。
【００４８】
次に本発明の第三の実施の形態によるコイル部品について図１０及び図１１に基づき説明する。図１０に示されるコイル部５０は、その外形が第一の実施の形態のコイル部１０と同径である。よってコイル部５０が挿入されるケースについては、その説明を省略する。
【００４９】
コイル部５０は、トロイダルコア５１と巻線５２とから構成されている。トロイダルコア５１は、フェライト等を基材として、略中空円筒状に成型されている。図１０及び図１１に示されるように、トロイダルコア５１は軸方向と直交する端面５１Ａを有し、端面５１Ａには、トロイダルコア５１の内周面と外周面とに開口を有する規制溝５１ａが形成されている。
【００５０】
規制溝５１ａは、底面５３Ａと両側面５３Ｂ、５３Ｃとから画成されており、図１１に示されるように、底面５３Ａと一方の側面５３Ｂとが交わる部分に、巻始め側位置規制部５１Ｂが規定されており、底面５３Ａと他方の側面５３Ｃとが交わる部分に、巻終り側位置規制部５１Ｃが規定されている。またトロイダルコア５１周方向において巻始め側位置規制部５１Ｂから巻終り側位置規制部５１Ｃまでの最短距離は、巻線５２の直径の四倍より小さくなるように構成されている。
【００５１】
巻線５２は、第一の実施の形態の巻線１２と同様の巻線であるので詳しい説明は省略する。巻線５２をトロイダルコア５１に巻回する場合には、巻線５２の巻き開始部５２Ａが底面５３Ａ上において、トロイダルコア５１の外周から内周に向かうように巻始め側位置規制部５１Ｂに掛けられて、トロイダルコア４１に対する巻き開始部５２Ａの位置が正確に規制される。巻き開始部５２Ａの位置が正確に規定された後に、トロイダルコア５１の円周方向に巻き進められてバイファイラ巻きされている。
【００５２】
巻線５２が円周方向に巻き進められて、巻線５２の巻き終了部５２Ｂが巻終り側位置規制部５１Ｃに掛けられる。これによりトロイダルコア５１に対する巻き終了部５２Ｂの位置が正確に規制される。そして巻線５２は、巻終り側位置規制部５１Ｃから端面５１Ａの反対面に引き回されて端面５１Ａの反対面位置から引き出され、巻線５２の巻回が終了する。
【００５３】
上記構成のコイル部５０においても、第一の実施の形態に係る変形例のコイル部２０と同様に、幅が巻線５２の直径の四倍未満の所に、四本の巻線５２が配置されることになり、巻き開始部５２Ａと巻き終了部５２Ｂにおいて少なくとも一本以上の巻線５２が重なった状態で接触した状態に保持される。故に巻き開始部５２Ａと巻き終了部５２Ｂとが離間することが抑制される。
【００５４】
次に第三の実施の形態に係る変形例について図１２及び図１３に基づいて説明する。図１２に示されるコイル部６０は、その外形が第一の実施の形態のコイル部１０と同径である。よってコイル部６０が挿入されるケースについては、第一の実施の形態と同様であり、その説明を省略する。
【００５５】
コイル部６０は、トロイダルコア６１と巻線６２とから構成されている。トロイダルコア６１は、フェライト等を基材として、略中空円筒状に成型されている。図１２及び図１３に示されるように、トロイダルコア６１は軸方向と直交する端面６１Ａを有し、端面６１Ａには、トロイダルコア６１の内周面と外周面とに開口を有する第一規制溝６１ａと第二規制溝６１ｂとが形成されている。
【００５６】
第一規制溝６１ａは、図１３に示されるように、底面６３Ａと、第二規制溝６１ｂと離間する位置に配置された側面６３Ｂと、第二規制溝６１ｂと近接する位置に配置された側面６３Ｃとから画成されている。底面６３Ａと、側面５３Ｂとが交わる部分に、巻始め側位置規制部６１Ｂが規定されている。
【００５７】
第二規制溝６１ｂは、底面６４Ａと、第一規制溝６１ａと近接する位置に配置された側面６４Ｂと、第一規制溝６１ａと離間する位置に配置された側面６４Ｃとから画成されている。底面６４Ａと側面６４Ｃとが交わる部分に、巻終り側位置規制部６１Ｃが規定されている。
【００５８】
巻線６２は、第一の実施の形態の巻線１２と同様の巻線であるので詳しい説明は省略する。図１２に示されるように、巻線６２をトロイダルコア６１に巻回する場合には、巻線６２の巻き開始部６２Ａが底面６３Ａ上において、トロイダルコア６１の外周から内周に向かうように巻始め側位置規制部６１Ｂに掛けられて、トロイダルコア６１に対する巻き開始部６２Ａの位置が正確に規制される。巻き開始部６２Ａの位置が正確に規定された後に、トロイダルコア６１の円周方向に巻き進められてバイファイラ巻きされている。
【００５９】
巻線６２が円周方向に巻き進められて、巻線６２の巻き終了部６２Ｂが、底面６４Ａ上において、巻終り側位置規制部６１Ｃに掛けられる。これによりトロイダルコア６１に対する巻き終了部６２Ｂの位置が正確に規制される。そして巻線６２は、巻終り側位置規制部６１Ｃから端面６１Ａの反対面に引き回されて端面６１Ａの反対面位置から引き出され、巻線６２の巻回が終了する。
【００６０】
上記構成のコイル部６０においては、巻始め側位置規制部６１Ｂと巻終り側位置規制部６１Ｃとが離間した二本の第一規制溝６１ａ、第二規制溝６１ｂ内に設けられている。よって巻始め側位置規制部６１Ｂと巻終り側位置規制部６１Ｃとによって位置が規定される巻き開始部６２Ａと巻き終了部６２Ｂとは、離間した状態に保持され、巻き開始部６２Ａと巻き終了部６２Ｂとが接触することが抑制される。
【００６１】
次に本発明の第四の実施の形態によるコイル部品について図１４及び図１５に基づき説明する。図１４に示されるコイル部品７はコモンモードチョークコイルであり、コイル部７０と樹脂製のケース２とを主に備えている。
【００６２】
図１５に示されるように、コイル部７０は、環状のトロイダルコア７１と、周囲が絶縁被覆された２本の巻線７２、７２とから構成されている。
【００６３】
巻線７２は、第一の実施の形態の巻線１２と同様の巻線であるので詳しい説明は省略する。図１５に示されるように、巻線７２は、巻き開始部７２Ａがトロイダルコア７１に掛けられ、トロイダルコア７１の円周方向に巻き進められてバイファイラ巻きされており、巻線７２の巻き終了部７２Ｂまで巻回されている。
【００６４】
図１４に示されるように、ケース２は、第一の実施の形態のケース２と略同様の構成をしているため、主な構成部分については、説明を省略し、差違部分のみについて説明する。ケース２上面の略中央位置には、コイル部７０を収容するための略円柱形状の凹部２ａが形成されている。凹部２ａ内には、凹部２ａの軸方向と略平行に延びる二本の第一位置規制部２Ｃと第二位置規制部２Ｄが設けられている。第一位置規制部２Ｃと第二位置規制部２Ｄとは、略近接しているとともに、トロイダルコア７１が凹部２ａ内に挿入された状態で、トロイダルコア７１の内周面に添うように配置されている。
【００６５】
ケース２内にコイル部７０を配置した場合には、図１５に示されるように、第一位置規制部２Ｃは、トロイダルコア７１の内周面に接するとともに、トロイダルコア７１の周方向において、第二位置規制部２Ｄから離間している位置で巻き開始部７２Ａに接している。これにより、巻き開始部７２Ａのトロイダルコア７１における位置が正確に規定されると共に、巻き開始部７２Ａが、第一位置規制部２Ｃ近傍位置からずれることが抑制される。
【００６６】
また第二位置規制部２Ｄは、トロイダルコア７１の内周面に接するとともに、トロイダルコア７１の周方向において、第一位置規制部２Ｃから離間している位置で巻き終了部７２Ｂに接している。これにより巻き終了部７２Ｂのトロイダルコア７１における位置が正確に規定されると共に、巻き終了部７２Ｂが、第二位置規制部２Ｄ近傍位置からずれることが抑制される。よって巻き開始部７２Ａと巻き終了部７２Ｂとは、離間した状態に保持され、巻き開始部７２Ａと巻き終了部７２Ｂとが接触することが抑制される。
【００６７】
第七の実施の形態においては、第一位置規制部２Ｃ及び第二位置規制部２Ｄの、互いに離間する位置で巻き開始部７２Ａと巻き終了部７２Ｂの位置規制を行っているが、これに限らず、第一位置規制部２Ｃ及び第二位置規制部２Ｄの、互いに近接する位置で巻き開始部７２Ａと巻き終了部７２Ｂの位置規制を行ってもよい。この場合には、巻き開始部７２Ａと巻き終了部７２Ｂとを、互いに接触した状態で保持することができる。
【００６８】
また第一の実施の形態〜第三の実施の形態においては、コイル部とケースとを備えるコイル部品について説明したが、これに限らず、トロイダルコアと巻線のみから構成されるコイル部品、即ちコイル部のみを構成部品とするコイル部品についても同様に適応することが可能である。
【図面の簡単な説明】
【００６９】
【図１】本発明の第一の実施の形態に係るコイル部品の斜視図。
【図２】本発明の第一の実施の形態に係るコイル部品のコイル部の平面図。
【図３】本発明の第一の実施の形態に係るコイル部品のトロイダルコアの平面図。
【図４】本発明の第一の実施の形態と第一の実施の形態の変形例とに係るコイル部品の共振周波数特性を示すグラフ。
【図５】本発明の第一の実施の形態の変形例に係るコイル部品のコイル部の平面図。
【図６】本発明の第二の実施の形態に係るコイル部品のコイル部の平面図。
【図７】本発明の第二の実施の形態に係るコイル部品のトロイダルコアの側面図。
【図８】本発明の第二の実施の形態の変形例に係るコイル部品のコイル部の平面図。
【図９】本発明の第二の実施の形態の変形例に係るコイル部品のトロイダルコアの側面図。
【図１０】本発明の第三の実施の形態に係るコイル部品のコイル部の平面図。
【図１１】本発明の第三の実施の形態に係るコイル部品のトロイダルコアの側面図。
【図１２】本発明の第三の実施の形態の変形例に係るコイル部品のコイル部の平面図。
【図１３】本発明の第三の実施の形態の変形例に係るコイル部品のトロイダルコアの側面図。
【図１４】本発明の第四の実施の形態に係るコイル部品の斜視図。
【図１５】本発明の第四の実施の形態に係るコイル部品のコイル部の平面図。
【符号の説明】
【００７０】
１、７・・コイル部品  ２・・ケース  ２Ａ・・保護カバー  ２Ｃ・・第一位置規制部
２Ｄ・・第二位置規制部  ２ａ・・金属端子
１０、２０、３０、４０、５０、６０、７０・・コイル部
１１、２１、３１、４１、５１、６１、７１・・トロイダルコア
１１Ａ、２１Ａ・・内周面  １１Ｂ・・凸部
１１Ｃ、２１Ｄ、３１Ｃ、４１Ｄ、５１Ｂ・・基部、巻始め側位置規制部
１１Ｄ、２１Ｅ。３１Ｄ、４１Ｅ、５１Ｃ・・基部、巻終り側位置規制部
１２、２２、３２、４２、５２、６２、７２・・巻線
１２Ａ、２２Ａ、３２Ａ、４２Ａ、５２Ａ、６２Ａ、７２Ａ・・巻き開始部
１２Ｂ、２２Ｂ、３２Ｂ、４２Ｂ、５２Ｂ、６２Ｂ、７２Ｂ・・巻き終了部
２１Ｂ・・第一凸部  ２１Ｃ・・第二凸部  ３１Ａ、４１Ａ、５１Ａ、６１Ａ・・端面
３１Ｂ・・突起部  ４１Ｂ・・第一突起部  ４１Ｃ・・第二突起部  ５１ａ・・規制溝
５２・・巻線  ５３Ｂ・・側面  ５３Ｃ・・側面  ６１ａ・・第一規制溝
６１ｂ・・第二規制溝  ６３Ａ、６４Ａ・・底面  ６３Ｂ、６４Ｂ・・側面
６３Ｃ、６４Ｃ・・側面
【図１】
2008153254.tif 000003
【図２】
2008153254.tif 000004
【図３】
2008153254.tif 000005
【図４】
2008153254.tif 000006
【図５】
2008153254.tif 000007
【図６】
2008153254.tif 000008
【図７】
2008153254.tif 000009
【図８】
2008153254.tif 000010
【図９】
2008153254.tif 000011
【図１０】
2008153254.tif 000012
【図１１】
2008153254.tif 000013
【図１２】
2008153254.tif 000014
【図１３】
2008153254.tif 000015
【図１４】
2008153254.tif 000016
【図１５】
2008153254.tif 000017